(57)【要約】【課題】配線カバーを閉じる際の使用感を向上させることができる技術の提供。【解決手段】天板付家具の天板１に形成された配線開口１１を塞ぐように設けられ、天板１の一対の使用端のうちの一端側に起立する方向にも他端側に起立する方向にも回動可能な両開きの配線カバー３の開閉装置であって、制動部４を備える。制動部４は、配線カバー３の一端３ａの側に起立する開姿勢と閉姿勢との間での第１回動動作のうち、少なくとも開姿勢から閉姿勢に向かう閉鎖回動動作を制動し、配線カバー３の他端３ｂの側に起立する開姿勢と前記閉姿勢との間での第２回動動作のうち、少なくとも開姿勢から閉姿勢に向かう閉鎖回動動作を制動する。【選択図】図１０
2020062330.tif 000002
【特許請求の範囲】
【請求項１】
天板付家具の天板に形成された配線開口を塞ぐように設けられ、前記天板の一対の使用端のうちの一端側に起立する方向にも他端側に起立する方向にも回動可能な両開きの配線カバーの開閉装置であって、
前記配線カバーの前記一端側に起立する開姿勢と閉姿勢との間での第１回動動作のうち、少なくとも該開姿勢から前記閉姿勢に向かう閉鎖回動動作を制動し、前記配線カバーの前記他端側に起立する開姿勢と前記閉姿勢との間での第２回動動作のうち、少なくとも該開姿勢から前記閉姿勢に向かう閉鎖回動動作を制動する制動部、
を備えることを特徴とする、配線カバーの開閉装置。
【請求項２】
請求項１に記載の配線カバーの開閉装置において、
前記制動部が、
回動ダンパーが取り付けられたピニオンと噛合して設けられた、第１、第２の制動ラック、
を備え、
前記配線カバーが前記第１回動動作において少なくとも前記閉鎖回動動作する際に、前記第１の制動ラックが前記ピニオンと噛み合いつつ前記配線カバーとともに回動することにより、前記配線カバーに制動力が作用し、
前記配線カバーが前記第２回動動作において少なくとも前記閉鎖回動動作する際に、前記第２の制動ラックが前記ピニオンと噛み合いつつ前記配線カバーとともに回動することにより、前記配線カバーに制動力が作用するように構成されている
ことを特徴とする、配線カバーの開閉装置。
【請求項３】
請求項２に記載の配線カバーの開閉装置において、
前記第１回動動作の回動支点を前記第２の制動ラックが与え、前記第２回動動作の回動支点を前記第１の制動ラックが与える、
ことを特徴とする、配線カバーの開閉装置。
【請求項４】
請求項２または３に記載の配線カバーの開閉装置において、
前記第１の制動ラックが、前記第１回動動作の回動中心と同心の円の円弧に倣う弧状の側縁を有するラック本体部を備え、該側縁にラック歯が形成されている
ことを特徴とする、配線カバーの開閉装置。
【請求項５】
請求項２または３に記載の配線カバーの開閉装置において、
前記第１の制動ラックが、
ラック歯が形成された直線状の側縁を有するラック本体部、
を備え、
前記回動ダンパーに付勢部材が設けられており、該付勢部材が、前記回動ダンパーを介して前記ピニオンを前記第１の制動ラックに弾接する方向に付勢することにより、前記第１の制動ラックが、前記ピニオンと噛み合った状態のまま前記配線カバーとともに回動するように構成されている
ことを特徴とする、配線カバーの開閉装置。
【請求項６】
請求項２から５のいずれかに記載の配線カバーの開閉装置において、
前記制動部が、
制動力を付与されない、第１、第２の無制動ラック、
を備え、
前記配線カバーが前記第１回動動作する際に、前記第１の制動ラックと前記第１の無制動ラックが回動姿勢を規制されつつ前記配線カバーとともに回動することにより、前記配線カバーの回動姿勢がガイドされ、
前記配線カバーが前記第２回動動作する際に、前記第２の制動ラックと前記第２の無制動ラックが回動姿勢を規制されつつ前記配線カバーとともに回動することにより、前記配線カバーの回動姿勢がガイドされるように構成されている
ことを特徴とする、配線カバーの開閉装置。
【請求項７】
請求項６に記載の配線カバーの開閉装置において、
前記第１回動動作の回動支点を、前記第２の制動ラックと前記第２の無制動ラックが与え、
前記第２回動動作の回動支点を、前記第１の制動ラックと前記第１の無制動ラックが与える、
ことを特徴とする、配線カバーの開閉装置。
【請求項８】
請求項６または７に記載の配線カバーの開閉装置において、
前記第１の制動ラックと前記第２の無制動ラックが、共通の筐体に搭載されている
ことを特徴とする、配線カバーの開閉装置。
【請求項９】
請求項８に記載の配線カバーの開閉装置において、
前記配線カバーが閉姿勢に配置された状態において、
前記第１の制動ラックおよび前記第２の無制動ラックが、前記筐体に係止されるように構成されている
ことを特徴とする、配線カバーの開閉装置。
【請求項１０】
請求項１に記載の配線カバーの開閉装置において、
前記制動部が、
第１、第２の回動ダンパー、
を備え、
前記配線カバーが前記第１回動動作において少なくとも前記閉鎖回動動作する際に、前記第１の回動ダンパーの制動力が直接作用することにより、前記配線カバーが制動され、
前記配線カバーが前記第２回動動作において少なくとも前記閉鎖回動動作する際に、前記第２の回動ダンパーの制動力が直接作用することにより、前記配線カバーが制動されるように構成されている
ことを特徴とする、配線カバーの開閉装置。
【請求項１１】
天板付家具の天板に形成された配線開口を塞ぐように設けられ、前記天板の使用端と対向する一端側に起立する方向に回動可能な片開きの開閉構造を備える配線カバーの開閉装置であって、
前記配線カバーの前記一端側に起立する開姿勢と閉姿勢との間での回動動作のうち、少なくとも前記開姿勢から前記閉姿勢に向かう閉鎖回動動作を制動する制動部、
を備え、
前記制動部が、
回動ダンパーが取り付けられたピニオンと噛合して設けられた制動ラック、
を備え、
前記配線カバーが前記回動動作において少なくとも前記閉鎖回動動作する際に、前記制動ラックが前記ピニオンと噛み合いつつ前記配線カバーとともに回動することにより、前記配線カバーに制動力が作用し、
前記制動ラックが、前記回動動作の回動中心と同心の円の円弧に倣う弧状の側縁を有するラック本体部を備え、該側縁にラック歯が形成されている
ことを特徴とする、配線カバーの開閉装置。
【発明の詳細な説明】
【技術分野】
【０００１】
本発明は、天板付家具において、配線を挿通させるための配線開口を塞ぐ配線カバーを開閉するための技術に関する。
【背景技術】
【０００２】
天板付家具においては、天板に、配線を挿通させるための配線開口が形成されることがあり、この場合、配線開口を塞ぐための開閉式の配線カバーが設けられることが多い。
【０００３】
例えば、いわゆるフリーアドレスタイプのオフィスで用いられる大型テーブルでは、長方形状の天板の両方の長辺が使用端とされることが多く、この場合、配線開口は、天板の両方の使用端におけるどの位置からでも使用されやすいように、天板の両使用端の真ん中に細長く延びる形状とされる。このような配線開口を塞ぐ配線カバーは、天板のどちらの使用端の側からも開くことができるような両開きの開閉構造を備えていることが好ましい。このような配線カバーの開閉装置は、例えば特許文献１に開示されている。
【先行技術文献】
【特許文献】
【０００４】
【特許文献１】特開２０１１−２２４１７２号公報
【発明の概要】
【発明が解決しようとする課題】
【０００５】
特許文献１に記載の構成では、配線カバーの下面に設けられた軸受けが、天板側に設けられた軸に嵌まり合って該軸のまわりで回動されることによって、配線カバーが開閉されるようになっている。このような配線カバーにおいては、回動速度が大きくなると、配線カバーが閉止される際に衝突音が生じる等して、使用感が損なわれる虞がある。
【０００６】
本発明は、上記の事情に鑑みてなされたものであり、配線カバーを閉じる際の使用感を向上させることができる技術の提供を目的としている。
【課題を解決するための手段】
【０００７】
本発明は、かかる目的を達成するために、次のような手段を講じたものである。
【０００８】
すなわち、本発明は、
天板付家具の天板に形成された配線開口を塞ぐように設けられ、前記天板の一対の使用端のうちの一端側に起立する方向にも他端側に起立する方向にも回動可能な両開きの配線カバーの開閉装置であって、
前記配線カバーの前記一端側に起立する開姿勢と閉姿勢との間での第１回動動作のうち、少なくとも該開姿勢から前記閉姿勢に向かう閉鎖回動動作を制動し、前記配線カバーの前記他端側に起立する開姿勢と前記閉姿勢との間での第２回動動作のうち、少なくとも該開姿勢から前記閉姿勢に向かう閉鎖回動動作を制動する制動部、
を備えることを特徴とする。
【０００９】
この構成によると、配線カバーの第１回動動作の閉鎖回動動作と、第２回動動作の閉鎖回動動作との両方が制動されるので、どちら側に開いた状態からでも配線カバーがゆっくりとソフトに回動する。これにより、配線カバーを閉じる際の使用感を良好なものとすることができる。
【００１０】
好ましくは、前記配線カバーの開閉装置において、
前記制動部が、
回動ダンパーが取り付けられたピニオンと噛合して設けられた、第１、第２の制動ラック、
を備え、
前記配線カバーが前記第１回動動作において少なくとも前記閉鎖回動動作する際に、前記第１の制動ラックが前記ピニオンと噛み合いつつ前記配線カバーとともに回動することにより、前記配線カバーに制動力が作用し、
前記配線カバーが前記第２回動動作において少なくとも前記閉鎖回動動作する際に、前記第２の制動ラックが前記ピニオンと噛み合いつつ前記配線カバーとともに回動することにより、前記配線カバーに制動力が作用するように構成されている
ことを特徴とする。
【００１１】
この構成によると、いわゆるラック・アンド・ピニオン機構を利用することで、回動ダンパーの制動力を有効に利用して、配線カバーの回動速度を十分に低速なものとすることができる。
【００１２】
なお、上記の配線カバーの開閉装置において、第１、第２の制動ラックは、互いに離間して配置されてもよいし、近接して配置されてもよい。例えば、第１、第２の制動ラックは、配線カバーの側辺（具体的には、前記一端側、前記他端側を形成する側辺）の一方の端部側と他方の端部側に各々配置されてもよいし、該側辺の略中央部に互いに近接して配置されてもよい。
【００１３】
好ましくは、前記配線カバーの開閉装置において、
前記第１回動動作の回動支点を前記第２の制動ラックが与え、前記第２回動動作の回動支点を前記第１の制動ラックが与える、
ことを特徴とする。
【００１４】
この構成によると、配線カバーの一方の回動動作を制動するための役割を担う制動ラックが、配線カバーが他方の回動動作をする際の回動支点を与えるので、天板付家具の本体側に固定軸を設ける必要がなく、簡易な構成で配線カバーの回動を安定させることができる。
【００１５】
好ましくは、前記配線カバーの開閉装置において、
前記第１の制動ラックが、前記第１回動動作の回動中心と同心の円の円弧に倣う弧状の側縁を有するラック本体部を備え、該側縁にラック歯が形成されている
ことを特徴とする。
【００１６】
この構成によると、配線カバーが回動するときに、ラック歯が配線カバーの回動中心と同心の円の円弧に沿って移動することになるので、ピニオン（ひいては、回動ダンパー）を固定的に設けることができる。
【００１７】
好ましくは、前記配線カバーの開閉装置において、
前記第１の制動ラックが、
ラック歯が形成された直線状の側縁を有するラック本体部、
を備え、
前記回動ダンパーに付勢部材が設けられており、該付勢部材が、前記回動ダンパーを介して前記ピニオンを前記第１の制動ラックに弾接する方向に付勢することにより、前記第１の制動ラックが、前記ピニオンと噛み合った状態のまま前記配線カバーとともに回動するように構成されている
ことを特徴とする。
【００１８】
この構成によると、汎用化されている直線状のラックを用いることができるので、製造コストを抑えることができる。
【００１９】
好ましくは、前記配線カバーの開閉装置において、
前記制動部が、
制動力を付与されない、第１、第２の無制動ラック、
を備え、
前記配線カバーが前記第１回動動作する際に、前記第１の制動ラックと前記第１の無制動ラックが回動姿勢を規制されつつ前記配線カバーとともに回動することにより、前記配線カバーの回動姿勢がガイドされ、
前記配線カバーが前記第２回動動作する際に、前記第２の制動ラックと前記第２の無制動ラックが回動姿勢を規制されつつ前記配線カバーとともに回動することにより、前記配線カバーの回動姿勢がガイドされるように構成されている
ことを特徴とする。
【００２０】
この構成によると、配線カバーが、第１回動動作を行う際、第２回動動作を行う際のいずれにおいても、その回動姿勢が制動ラックと無制動ラックによってガイドされるので、配線カバーが特に安定して回動される。
【００２１】
好ましくは、前記配線カバーの開閉装置において、
前記第１回動動作の回動支点を、前記第２の制動ラックと前記第２の無制動ラックが与え、
前記第２回動動作の回動支点を、前記第１の制動ラックと前記第１の無制動ラックが与える、
ことを特徴とする。
【００２２】
この構成によると、配線カバーの一方の回動動作を制動するとともに回動姿勢をガイドするための役割を担う制動ラックと、該回動動作の回動姿勢をガイドするための役割を担う無制動ラックが、配線カバーが他方の回動動作を行う際の回動支点を与える。したがって、簡易な構成で配線カバーの回動を特に安定させることができる。
【００２３】
好ましくは、前記配線カバーの開閉装置において、
前記第１の制動ラックと前記第２の無制動ラックが、共通の筐体に搭載されている
ことを特徴とする。
【００２４】
この構成によると、構成が簡素化され、天板付家具の本体への取り付け作業も容易となる。
【００２５】
好ましくは、前記配線カバーの開閉装置において、
前記配線カバーが閉姿勢に配置された状態において、
前記第１の制動ラックおよび前記第２の無制動ラックが、前記筐体に係止されるように構成されている
ことを特徴とする。
【００２６】
この構成によると、配線カバーが閉姿勢に安定して配置される。
【００２７】
好ましくは、前記配線カバーの開閉装置は、
前記制動部が、
第１、第２の回動ダンパー、
を備え、
前記配線カバーが前記第１回動動作において少なくとも前記閉鎖回動動作する際に、前記第１の回動ダンパーの制動力が直接作用することにより、前記配線カバーが制動され、
前記配線カバーが前記第２回動動作において少なくとも前記閉鎖回動動作する際に、前記第２の回動ダンパーの制動力が直接作用することにより、前記配線カバーが制動されるように構成されている
ことを特徴とする。
【００２８】
この構成によると、部品点数を少なく抑えつつ、配線カバーの回動速度を低速なものとすることができる。
【００２９】
また、別の態様に係る本発明は、
天板付家具の天板に形成された配線開口を塞ぐように設けられ、前記天板の使用端と対向する一端側に起立する方向に回動可能な片開きの開閉構造を備える配線カバーの開閉装置であって、
前記配線カバーの前記一端側に起立する開姿勢と閉姿勢との間での回動動作のうち、少なくとも前記開姿勢から前記閉姿勢に向かう閉鎖回動動作を制動する制動部、
を備え、
前記制動部が、
回動ダンパーが取り付けられたピニオンと噛合して設けられた制動ラック、
を備え、
前記配線カバーが前記回動動作において少なくとも前記閉鎖回動動作する際に、前記制動ラックが前記ピニオンと噛み合いつつ前記配線カバーとともに回動することにより、前記配線カバーに制動力が作用し、
前記制動ラックが、前記回動動作の回動中心と同心の円の円弧に倣う弧状の側縁を有するラック本体部を備え、該側縁にラック歯が形成されている
ことを特徴とする。
【００３０】
この構成によると、配線カバーの閉鎖回動動作が制動されるので、配線カバーが開いた状態からゆっくりとソフトに回動する。これにより、配線カバーを閉じる際の使用感を良好なものとすることができる。
【発明の効果】
【００３１】
本発明によると、配線カバーを閉じる際の使用感を向上させることができる。
【図面の簡単な説明】
【００３２】
【図１】本発明の実施形態に係る天板付家具の斜視図。
【図２】天板付家具の分解斜視図。
【図３】制動ユニットの斜視図。
【図４】図３において、筐体を透明状態で示した図。
【図５】筐体の斜視図。
【図６】制動ユニットを、図３の矢印Ａ方向から見た断面図、および、矢印Ｂ方向から見た断面図。
【図７】制動ユニットに一対の固定部材が取り付けられた状態を示す斜視図。
【図８】制動ユニットを取り付ける態様を説明するための図。
【図９】制動ユニットが取り付けられた状態を示す側断面図。
【図１０】配線カバーと一対の制動ユニットの位置関係を示す図。
【図１１】配線カバーの第１回動動作を説明するための図。
【図１２】配線カバーの第２回動動作を説明するための図。
【図１３】本発明の第１変形例に係る制動部を説明するための図。
【図１４】本発明の第１変形例に係る制動部を説明するための図。
【図１５】本発明の第２変形例に係る制動部を説明するための図。
【図１６】本発明の第３変形例に係る制動ユニットを説明するための図。
【図１７】本発明の第４変形例に係る制動部を説明するための図。
【図１８】本発明の第５変形例に係る制動部を説明するための図。
【発明を実施するための形態】
【００３３】
以下、本発明の実施形態について、図面を参照しつつ説明する。
【００３４】
＜１．全体構成＞
実施形態に係る天板付家具の全体構成について、図１、図２を参照しながら説明する。図１は、実施形態に係る天板付家具ＴＢの斜視図である。図２は、天板付家具ＴＢの分解斜視図である。
【００３５】
天板付家具ＴＢは、例えば、いわゆるフリーアドレスが導入されているオフィス等において好適に用いられる大型テーブルであり、平面視において長方形状の天板１と、これを支持する４個の脚体２と、を備える。
【００３６】
天板１の略中央部には、平面視において長尺矩形状の配線開口１１が形成されている。天板１は、その両方の長辺が使用端とされるものであり、配線開口１１は、天板１の両使用端におけるどの位置からでも使用されやすいように、天板１の両使用端の真ん中に、長尺方向を天板１の使用端と平行とするような姿勢で配設される。
【００３７】
配線開口１１には、これを塞ぐ配線カバー３が設けられる。配線カバー３は、平面視において長尺矩形の板状部材である。配線カバー３は、これが配線開口１１を塞ぐ閉姿勢とされている状態において、配線カバー３の上面と天板１の上面が略面一となるように配置される。また、配線カバー３が閉姿勢とされている状態において、配線カバー３の各長辺３ａ，３ｂと配線開口１１の長辺の間に僅かな隙間が形成され、この隙間に配線コード等を挿通させることができるようになっている。
【００３８】
配線カバー３は、天板１の一対の使用端のどちらの側からも開くことができる両開きの開閉構造を備えている。すなわち、配線カバー３は、天板１の一方の使用端の側に起立する方向にも、天板１の他方の使用端の側に起立する方向にも回動可能な、両開きの開閉構造を備えている。配線カバー３には、制動部４が設けられており、この制動部４が、配線カバー３が、天板１の一方の使用端の側（すなわち、該使用端の側に配置されている配線カバー３の一方の長辺３ａの側）に起立する開姿勢と閉姿勢との間で回動する動作（後述する「第１回動動作」）を制動するとともに、配線カバー３が、天板１の他方の使用端の側（すなわち、該使用端の側に配置されている配線カバー３の他方の長辺３ｂの側）に起立する開姿勢と閉姿勢との間で回動する動作（後述する「第２回動動作」）を制動する。以下において、制動部４の構成について説明する。
【００３９】
＜２．制動部４の構成＞
制動部４は、一対の制動ユニット４０を含んで構成される。制動ユニット４０の構成について、図３〜図６を参照しながら説明する。図３は、制動ユニット４０の斜視図である。図４は、図３において、筐体４２を透明状態で示した図である。図５は、筐体４２の斜視図である。図６は、制動ユニット４０を、図３の矢印Ａ方向から見た断面図（図６（ａ））、および、矢印Ｂ方向から見た断面図（図６（ｂ））である。
【００４０】
制動ユニット４０は、一対のラック４１，４１と、その一部が収容される筐体４２と、筐体４２に支持される回動ダンパー４３と、回動ダンパー４３の軸部に連結されたピニオン４４と、を備える。
【００４１】
ラック４１は、係止板４１１と、軸部４１２と、軸支持部４１３と、ラック本体部４１４と、を備える。係止板４１１は、平板状の部材であり、上面側に、軸支持部４１３を介して円筒状の軸部４１２が支持され、下面側に平板弧状のラック本体部４１４の一端が連なる。軸部４１２とラック本体部４１４は、係止板４１１を挟んで斜めに対向する位置に配置される。すなわち、軸部４１２は、係止板４１１の上方であって係止板４１１の一方の短辺から離れる方向に支持され、ラック本体部４１４は、係止板４１１の他方の短辺の端部から、下方かつ該短辺から離れる方向に延在する。また、軸部４１２とラック本体部４１４は、軸部４１２の軸方向とラック本体部４１４の主面の法線方向とが一致するような姿勢で配置される。ラック本体部４１４における一方の主面側には、外周側の弧状縁にラック歯４１４１が形成されている。
【００４２】
筐体４２は、略直方体形の箱状部材であり、下面側が開口している。筐体４２の一方の側面には、回動ダンパー４３を収納して支持するための回動ダンパー支持部４２１が形成されている。以下において、筐体４２における回動ダンパー支持部４２１が形成されている面を「前面」とし、該面の法線方向を「前後方向」とする。また、前後方向と直交する水平方向を「左右方向」とする。
【００４３】
筐体４２の内部には、ラック本体部４１４を収容する弧状の収容空間を内部に形成するラック収容部４２２が形成される。ラック収容部４２２の一端は、筐体４２の上面に開口した矩形状の第１スリット４２２１に連通しており、ラック本体部４１４は、先端側から第１スリット４２２１内を挿通されて、ラック収容部４２２に収容される。第１スリット４２２１は、ラック本体部４１４の断面とほぼ同一の寸法とされており、ラック本体部４１４のみが通過可能で、係止板４１１は通過できないようになっている。筐体４２の上面における第１スリット４２２１の周囲の領域４２２２は平坦な形状部分とされ、この領域４２２２が係止板４１１の下面と面接触することにより、係止板４１１が所定の姿勢で係止される。つまり、この領域４２２２が、係止板４１１を係止する係止面領域を構成する。係止板４１１が係止面領域４２２２に係止された状態において、ラック本体部４１４の全体がラック収容部４２２に収容された状態となる。ラック収容部４２２の他方の端部は、筐体４２の上面に設けられた矩形状の第２スリット４２２３に連通しており、ラック本体部４１４の全体がラック収容部４２２に収容された状態において、ラック本体部４１４の先端がこの第２スリット４２２３に到達してこれに係止されるようになっている。各ラック４１は、ラック本体部４１４がラック収容部４２２に収容されることによって所定の姿勢に規制され、前後方向に位置ずれや傾斜を生じないようになっている。
【００４４】
筐体４２には、一対のラック４１，４１に対応して、ラック収容部４２２（およびこれに付随する各要素４２２１〜４２２３）が対をなして形成される。一対のラック収容部４２２，４２２は、互いに干渉しないように、前後にずれた位置に配置される。また、一対のラック収容部４２２，４２２は、左右に一部重なるような位置関係で対向して配置される。すなわち、前方に配置されたラック収容部４２２は、筐体４２の左右中心よりも左側に偏心して開口した第１スリット４２２１に連通し、筐体４２の右方に延在して、筐体４２の右端付近に形成された第２スリット４２２３に連なる。また、後方に配置されたラック収容部４２２は、筐体４２の左右中心よりも右側に偏心して開口した第１スリット４２２１に連通し、筐体４２の左方に延在して、筐体４２の左端付近に形成された第２スリット４２２３に連なる。以下において、前方に配置されたラック収容部４２２にラック本体部４１４が収容されたラック４１を「前方のラック４１」とよび、後方に配置されたラック収容部４２２にラック本体部４１４が収容されたラック４１を「後方のラック４１」とよぶ。
【００４５】
一対のラック収容部４２２，４２２の各々にラック本体部４１４が収容され、各ラック４１の係止板４１１が各係止面領域４２２２に係止された状態において、前方のラック４１のラック本体部４１４の弧状縁が倣う円Ｌの中心が、後方のラック４１の軸部４１２の軸線と一致し（図６（ａ））、後方のラック４１のラック本体部４１４の弧状縁が倣う円Ｌの中心が、前方のラック４１の軸部４１２の軸線と一致するように構成されている（図６（ｂ））。つまり、各ラック４１は、前後方向に位置ずれや傾斜を生じないように回動姿勢を規制されつつ、他方のラック４１の軸部４１２を中心とする円Ｌの円弧に沿って回動できるようになっている。
【００４６】
回動ダンパー４３は、筐体４２の前面に形成された回動ダンパー支持部４２１内に収納されて所定位置に支持される。回動ダンパー４３の軸部には、ピニオン４４が連結されており、回動ダンパー４３が該所定位置に支持された状態において、ピニオン４４が、前方のラック４１のラック本体部４１４に形成されたラック歯４１４１と噛み合うような位置に配置される。これにより、前方のラック４１が回動するときに、回動ダンパー４３の制動力がピニオン４４を介してラック４１に伝達され、ラック４１の回動速度が所定値以下に制動されるようになっている。
【００４７】
回動ダンパー４３およびピニオン４４は、筐体４２の後方側には設けられず、後方のラック４１は制動力を受けることなく回動できる。以下において、前方のラック４１、すなわち、回動ダンパー４３の制動力を受けつつ回動するラック４１を、「制動ラック４１Ｄ」とよぶ。また、後方のラック４１、すなわち、制動力を付与されることなく回動できるラック４１を、「無制動ラック４１Ｆ」とよぶ。なお、制動ラック４１Ｄと無制動ラック４１Ｆを特に区別しない場合は、これまで通り、単に「ラック４１」とよぶ。
【００４８】
＜３．制動ユニット４０の取り付け＞
制動ユニット４０は、配線カバー３の下方に配置されて、天板１および配線カバー３に取り付けられる。制動ユニット４０を、天板１および配線カバー３に取り付ける態様について、図７〜図９を参照しながら説明する。図７は、制動ユニット４０に一対の固定部材４５，４５が取り付けられた状態を示す斜視図である。図８は、制動ユニット４０を天板１および配線カバー３に取り付ける態様を説明するための図である。ただし、図８においては、構造をわかりやすくするために、天板１および筐体４２が透明状態で示されている。図９は、制動ユニット４０が天板１および配線カバー３に取り付けられた状態を示す側断面図である。
【００４９】
制動ユニット４０は、筐体４２が天板１に対して固定されるとともに、各ラック４１の軸部４１２が配線カバー３の中空空間に固定された状態とされることにより、天板１および配線カバー３に対して取り付けられる。
【００５０】
制動ユニット４０の取り付けにあたっては、まず、各ラック４１における係止板４１１の上側部分に、固定部材４５を取り付ける。固定部材４５は、ラック４１の軸部４１２を配線カバー３に対して固定するための部材であり、互いに間隔を設けつつ連ねられた一対の側壁部４５１，４５１と、各側壁部４５１，４５１の一方の側辺から延出する腕部４５２と、一方の側壁部４５１の下辺から側方に張り出したフランジ部４５３と、を備える。このような固定部材４５を、フランジ部４５３の下方に係止板４１１が配置され、一対の側壁部４５１，４５１の間に軸支持部４１３が配置され、一対の腕部４５２，４５２が軸部４１２を下方から支持するような位置関係となるようにして、各ラック４１に取り付ける。
【００５１】
配線カバー３は、上板３１および下板３２が、側板３３を介して連なった中空状の部材であり、下板３２には、開口部３２１が形成されている。制動ユニット４０に一対の固定部材４５，４５が取り付けられると、続いて、各ラック４１における係止板４１１よりも上側の部分および、ここに取り付けられている固定部材４５を、開口部３２１から配線カバー３の中空空間へと挿入する。そして、固定部材４５に設けられた爪部Ｃ１を開口部３２１の縁部に引っ掛けて、フランジ部４５３が下板３２に下方側から当接するとともに、フランジ部４５３よりも上側の部分が配線カバー３の中空空間に収容された状態とする。開口部３２１には切欠き部分３２１１が形成されており、該状態において、下板３２の上面における該切欠き部分３２１１の両側に、腕部４５２，４５２が係止された状態となる。また、軸部４１２が、配線カバー３の内壁面と腕部４５２との間に挟まれて、配線カバー３の中空空間に固定された状態となる。その後、必要に応じて、フランジ部４５３を、ネジＫ１を用いて下板３２に固定する。もっとも、爪部Ｃ１を開口部３２１の縁部に引っ掛けるだけで取り付けが可能である場合は、ネジＫ１は設けなくともよい。続いて、ネジＫ２を用いて、筐体４２を天板１の下面に固定する。これにより、制動ユニット４０の取り付けが完了する。
【００５２】
＜４．制動部４の配置＞
上記の通り、制動部４は、一対の制動ユニット４０，４０を備える。次に、該一対の制動ユニット４０，４０の配置について、図９に加え、図１０を参照しながら説明する。図１０は、配線カバー３と一対の制動ユニット４０，４０の位置関係を示す図である。
【００５３】
一対の制動ユニット４０，４０は、配線カバー３の長辺３ａ，３ｂの一方の端部側と他方の端部側に各々配置される。また、各制動ユニット４０は、互いに平行な姿勢で配置される。具体的には、各制動ユニット４０は、長辺３ａ，３ｂの延在方向と直交するような姿勢で配置される。さらに、各制動ユニット４０は、その左右中心が、各長辺３ａ，３ｂと平行に延在して配線カバー３を二等分する中央線上にくるような位置に配置される。さらに、一対の制動ユニット４０，４０は、各々の前面を対向させるような姿勢、すなわち、互い違いの姿勢で配置される。したがって、一方の制動ユニット４０の制動ラック４１Ｄと他方の制動ユニット４０の無制動ラック４１Ｆの各軸部４１２が、同一の軸線上に配置されることになる。
【００５４】
以下において、軸部４１２が配置される軸線のうち、第１長辺３ａに近い側の軸線を「第１軸線Ｓａ」とよび、第２長辺３ｂに近い側の軸線を「第２軸線Ｓｂ」とよぶ。また、第２軸線Ｓｂ上に軸部４１２が配置される制動ラック４１Ｄを「第１の制動ラック４１Ｄａ」とよび、第２軸線Ｓｂ上に軸部４１２が配置される無制動ラック４１Ｆを「第１の無制動ラック４１Ｆａ」とよぶ。さらに、第１軸線Ｓａ上に軸部４１２が配置される制動ラック４１Ｄを「第２の制動ラック４１Ｄｂ」とよび、第１軸線Ｓａ上に軸部４１２が配置される無制動ラック４１Ｆを「第２の無制動ラック４１Ｆｂ」とよぶ。
【００５５】
＜５．制動部４の動作＞
次に、制動部４の動作について、図９、図１０に加え、図１１、図１２を参照しながら説明する。図１１は、配線カバー３の第１回動動作を説明するための図であり、図１１（ａ）は、図１０の矢印Ａ方向から見た断面図に相当し、図１１（ｂ）は、図１０の矢印Ｂ方向から見た断面図に相当する。図１２は、配線カバー３の第２回動動作を説明するための図であり、図１２（ａ）は、図１０の矢印Ａ方向から見た断面図に相当し、図１２（ｂ）は、図１０の矢印Ｂ方向から見た断面図に相当する。
【００５６】
配線カバー３が閉姿勢とされた状態において、各制動ユニット４０が備える両ラック４１，４１の係止板４１１が係止面領域４２２２に係止された状態となる。つまり、配線カバー３は、筐体４２に対して面接触した４個のラック４１によって支持されることとなる。これによって、配線カバー３が閉姿勢に安定して配置されるようになっている。上記の通り、配線カバー３は、このような閉姿勢から、第１長辺３ａの側に起立する方向にも、第２長辺３ｂの側に起立する方向にも回動可能な、両開きの開閉構造を備えている。
【００５７】
天板付家具ＴＢの使用者が、閉姿勢にある配線カバー３の第２長辺３ｂを持ち上げると、配線カバー３は、閉姿勢から第１長辺３ａの側に起立する開姿勢に回動する。また、使用者が、第１長辺３ａの側に起立した開姿勢にある配線カバー３の第２長辺３ｂを掴んで、配線カバー３を閉じる方向に引っ張ると、配線カバー３は、第１長辺３ａの側に起立する開姿勢から閉姿勢に回動する。以下において、配線カバー３が、第１長辺３ａの側に起立する開姿勢と閉姿勢との間で回動する動作を、「第１回動動作」とよぶ。特に、第１回動動作のうち、開姿勢から閉姿勢に向かう動作を、「閉鎖回動動作」とよぶ。
【００５８】
一方、使用者が、閉姿勢にある配線カバー３の第１長辺３ａを持ち上げると、配線カバー３は、閉姿勢から第２長辺３ｂの側に起立する開姿勢に回動する。また、使用者が、第２長辺３ｂの側に起立した開姿勢にある配線カバー３の第１長辺３ａを掴んで、配線カバー３を閉じる方向に引っ張ると、配線カバー３は、第２長辺３ｂの側に起立する開姿勢から閉姿勢に回動する。以下において、配線カバー３が、第２長辺３ｂの側に起立する開姿勢と閉姿勢との間で回動する動作を、「第２回動動作」とよぶ。特に、第２回動動作のうち、開姿勢から閉姿勢に向かう動作を、「閉鎖回動動作」とよぶ。
【００５９】
配線カバー３が第１回動動作を行うとき、第１軸線Ｓａ上に軸部４１２が配置されている各ラック４１、すなわち、第２の制動ラック４１Ｄｂおよび第２の無制動ラック４１Ｆｂの各軸部４１２が、配線カバー３の回動支点を与え、配線カバー３は第１軸線Ｓａの回りで回動する。また、このとき、第２軸線Ｓｂ上に軸部４１２が配置されていた各ラック４１、すなわち、第１の制動ラック４１Ｄａおよび第１の無制動ラック４１Ｆａが、第１軸線Ｓａを中心とする円Ｌａの円弧に沿って回動する。回動ダンパー４３の制動力を受けつつ回動する第１の制動ラック４１Ｄａが配線カバー３とともに回動することによって、配線カバー３の第１回動動作が制動される。また、回動姿勢を規制されつつ回動する一対のラック４１Ｄａ，４１Ｆａが配線カバー３とともに回動することによって、第１回動動作する配線カバー３が、その回動姿勢をガイドされつつ回動する。
【００６０】
一方、配線カバー３が第２回動動作を行うとき、第２軸線Ｓｂ上に軸部４１２が配置されている各ラック４１、すなわち、第１の制動ラック４１Ｄａおよび第１の無制動ラック４１Ｆａの各軸部４１２が、配線カバー３の回動支点を与え、配線カバー３は第２軸線Ｓｂの回りで回動する。また、このとき、第１軸線Ｓａ上に軸部４１２が配置されていた各ラック４１、すなわち、第２の制動ラック４１Ｄｂおよび第２の無制動ラック４１Ｆｂが、第２軸線Ｓｂを中心とする円Ｌｂの円弧に沿って回動する。回動ダンパー４３の制動力を受けつつ回動する第２の制動ラック４１Ｄｂが配線カバー３とともに回動することによって、配線カバー３の第２回動動作が制動される。また、回動姿勢を規制されつつ回動する一対のラック４１Ｄｂ，４１Ｆｂが配線カバー３とともに回動することによって、第２回動動作する配線カバー３が、その回動姿勢をガイドされつつ回動する。
【００６１】
＜６．効果＞
この実施形態によると、配線カバー３の第１回動動作の閉鎖回動動作と、第２回動動作の閉鎖回動動作との両方が制動されるので、どちら側に開いた状態からでも配線カバー３がゆっくりとソフトに回動する。これにより、配線カバー３を閉じる際の使用感を良好なものとすることができる。
【００６２】
また、この実施形態に係る制動部４は、各々が、回動ダンパー４３が取り付けられたピニオン４４と噛合して設けられた、第１、第２の制動ラック４１Ｄａ，４１Ｄｂを備えている。そして、配線カバー３が第１回動動作する際には、第１の制動ラック４１Ｄａがピニオン４４と噛み合いつつ配線カバー３とともに回動することにより、配線カバー３に制動力が作用する。また、配線カバー３が第２回動動作する際には、第２の制動ラック４１Ｄｂがピニオン４４と噛み合いつつ配線カバー３とともに回動することにより、配線カバー３に制動力が作用する。この構成によると、いわゆるラック・アンド・ピニオン機構を利用することで、回動ダンパー４３の制動力を有効に利用して、配線カバー３の回動速度を十分に低速なものとすることができる。
【００６３】
また、この実施形態では、第１回動動作の回動支点を第２の制動ラック４１Ｄｂが与え、第２回動動作の回動支点を第１の制動ラック４１Ｄａが与える。この構成によると、配線カバー３の一方の回動動作を制動するための役割を担う制動ラック４１Ｄが、配線カバー３が他方の回動動作をする際の回動支点を与えることとなるので、天板付家具ＴＢの本体側（典型的には、天板１）に固定軸を設ける必要がなく、簡易な構成で配線カバー３の回動を安定させることができる。
【００６４】
また、この実施形態では、第１の制動ラック４１Ｄａが、第１回動動作の回動中心Ｓａと同心の円Ｌａの円弧に倣う弧状の側縁を有するラック本体部４１４を備え、該側縁にラック歯４１４１が形成されている。同様に、第２の制動ラック４１Ｄｂも、配線カバー３が第２回動動作する際の回動中心Ｓｂと同心の円Ｌｂの円弧に倣う弧状の側縁を有するラック本体部４１４を備え、該側縁にラック歯４１４１が形成されている。この構成によると、配線カバー３が回動するときに、ラック歯４１４１が配線カバー３の回動中心Ｓａ，Ｓａと同心の円Ｌａ，Ｌｂの円弧に沿って移動することになるので、ピニオン４４（ひいては、回動ダンパー４３）を固定的に設けることができる。
【００６５】
また、この実施形態に係る制動部４は、制動力を付与されない、第１、第２の無制動ラック４１Ｆａ，４１Ｆｂを備えており、各無制動ラック４１Ｆａ，４１Ｆｂおよび各制動ラック４１Ｄａ，４１Ｄｂが、配線カバー３とともに回動する際の回動姿勢を規制されている。そして、配線カバー３が第１回動動作する際に、第１の制動ラック４１Ｄａと第１の無制動ラック４１Ｆａが回動姿勢を規制されつつ配線カバー３とともに回動することにより、配線カバー３の回動姿勢がガイドされる。また、配線カバー３が第２回動動作する際に、第２の制動ラック４１Ｄｂと第２の無制動ラック４１Ｆｂが回動姿勢を規制されつつ配線カバー３とともに回動することにより、配線カバー３の回動姿勢がガイドされる。この構成によると、配線カバー３が、第１回動動作を行う際、第２回動動作を行う際のいずれにおいても、その回動姿勢が制動ラック４１Ｄと無制動ラック４１Ｆによってガイドされるので、配線カバー３が特に安定して回動される。
【００６６】
また、この実施形態においては、第１回動動作の回動支点を、第２の制動ラック４１Ｄｂと第２の無制動ラック４１Ｆｂが与え、第２回動動作の回動支点を、第１の制動ラック４１Ｄａと第１の無制動ラック４１Ｆａが与える。この構成によると、配線カバー３の一方の回動動作を制動するとともに回動姿勢をガイドするための役割を担う制動ラック４１Ｄと、回動姿勢をガイドするための役割を担う無制動ラック４１Ｆが、配線カバー３が他方の回動動作を行う際の支点を与えるので、簡易な構成で配線カバー３の回動を特に安定させることができる。
【００６７】
また、この実施形態においては、第１の制動ラック４１Ｄａと第２の無制動ラック４１Ｆｂが、共通の筐体４２に搭載されている。また、第２の制動ラック４１Ｄｂと第１の無制動ラック４１Ｆａが、共通の筐体４２に搭載されている。この構成によると、構成が簡素化され、天板付家具ＴＢの本体への取り付け作業も容易となる。
【００６８】
また、この実施形態においては、配線カバー３が閉姿勢に配置された状態において、各ラック４１が、筐体４２に係止されるように構成されている。この構成によると、配線カバー３が閉姿勢に安定して配置される。
【００６９】
＜７．変形例＞
＜７−１．第１変形例＞
上記の実施形態に係る制動部４において、無制動ラック４１Ｆは必須の要素ではなく、これを省略してもよい。図１３、図１４には、無制動ラック４１Ｆを備えない制動部４ｃ，４ｄの構成が例示されている。図１３は、一対の制動ラック４１Ｄ、すなわち、第１の制動ラック４１Ｄａと第２の制動ラック４１Ｄｂが、配線カバー３の長辺３ａ，３ｂの略中央部に互いに近接して配置される場合の構成例である。また、図１４は、第１の制動ラック４１Ｄａと第２の制動ラック４１Ｄｂが、配線カバー３の長辺３ａ，３ｂの一方の端部側と他方の端部側に各々配置される場合の構成例である。
【００７０】
図１３に示される制動部４ｃは、１個の制動ユニット４０ｃを備える。この制動ユニット４０ｃは、一対の制動ラック４１Ｄ，４１Ｄを備え、無制動ラック４１Ｆを備えない。具体的には、制動ユニット４０ｃにおいては、筐体４２ｃに一対のラック収容部４２２が設けられ、各ラック収容部４２２にラック４１が収容される。また、筐体４２ｃの前面と後面の各々に回動ダンパー支持部４２１が設けられ、各回動ダンパー支持部４２１に収容された回動ダンパー４３の軸部に連結されたピニオン４４が、各ラック収容部４２２に収容されたラック本体部４１４のラック歯４１４１と噛み合うような位置に配置される。
【００７１】
制動ユニット４０ｃは、配線カバー３の長辺３ａ，３ｂの略中央部に配置される。また、制動ユニット４０ｃは、長辺３ａ，３ｂの延在方向と直交するような姿勢で配置される。さらに、制動ユニット４０ｃは、その左右中心が、各長辺３ａ，３ｂと平行に延在して配線カバー３を二等分する中央線上にくるような位置に配置される。
【００７２】
図１４に示される制動部４ｄは、一対の制動ユニット４０ｄ，４０ｄを備える。この制動ユニット４０ｄは、１個の制動ラック４１Ｄを備え、無制動ラック４１Ｆを備えない。具体的には、制動ユニット４０ｄにおいては、筐体４２ｄに１個のラック収容部４２２が設けられ、ここにラック４１が収容される。また、筐体４２ｄの前面に回動ダンパー支持部４２１が設けられ、各回動ダンパー支持部４２１に収容された回動ダンパー４３の軸部に連結されたピニオン４４が、ラック収容部４２２に収容されたラック本体部４１４のラック歯４１４１と噛み合うような位置に配置される。
【００７３】
一対の制動ユニット４０ｄ，４０ｄは、配線カバー３の長辺３ａ，３ｂの一方の端部側と他方の端部側に各々配置される。また、各制動ユニット４０ｄは、互いに平行な姿勢で配置される。具体的には、各制動ユニット４０ｄは、長辺３ａ，３ｂの延在方向と直交するような姿勢で配置される。さらに、各制動ユニット４０ｄは、その左右中心が、各長辺３ａ，３ｂと平行に延在して配線カバー３を二等分する中央線上にくるような位置に配置される。さらに、一対の制動ユニット４０ｄ，４０ｄは、各々の前面を対向させるような姿勢、すなわち、互い違いの姿勢で配置される。
【００７４】
図１３および図１４に示される各構成において、配線カバー３が第１回動動作を行うとき、第１軸線Ｓａ上に軸部４１２が配置されている制動ラック４１Ｄ、すなわち、第２の制動ラック４１Ｄｂの軸部４１２が、配線カバー３の回動支点を与え、配線カバー３は第１軸線Ｓａの回りで回動する。また、このとき、第２軸線Ｓｂ上に軸部４１２が配置されていた制動ラック４１Ｄ、すなわち、第１の制動ラック４１Ｄａが、第１軸線Ｓａを中心とする円の円弧に沿って回動する。回動ダンパー４３の制動力を受けつつ回動する第１の制動ラック４１Ｄａが配線カバー３とともに回動することによって、配線カバー３の第１回動動作が制動される。
【００７５】
一方、図１３および図１４に示される各構成において、配線カバー３が第２回動動作を行うとき、第２軸線Ｓｂ上に軸部４１２が配置されている制動ラック４１Ｄ、すなわち、第１の制動ラック４１Ｄａの軸部４１２が、配線カバー３の回動支点を与え、配線カバー３は第２軸線Ｓｂの回りで回動する。また、このとき、第１軸線Ｓａ上に軸部４１２が配置されていた制動ラック４１Ｄ、すなわち、第２の制動ラック４１Ｄｂが、第２軸線Ｓｂを中心とする円の円弧に沿って回動する。回動ダンパー４３の制動力を受けつつ回動する第２の制動ラック４１Ｄｂが配線カバー３とともに回動することによって、配線カバー３の第２回動動作が制動される。
【００７６】
＜７−２．第２変形例＞
上記の実施形態に係る制動部４においては、第１の制動ラック４１Ｄａと第２の無制動ラック４１Ｆｂ（あるいは、第２の制動ラック４１Ｄｂと第１の無制動ラック４１Ｆａ）が、同一の筐体４２に搭載されていたが、一対の制動ラック４１Ｄａ，４１Ｄｂが同一の筐体に、一対の無制動ラック４１Ｆａ，４１Ｆｂが同一の筐体に、それぞれ搭載されてもよい。図１５には、このような態様に係る制動部４ｅの構成が例示されている。
【００７７】
この変形例に係る制動部４ｅは、一対の制動ラック４１Ｄ，４１Ｄを備える制動ユニット４０ｃ（すなわち、図１３に示された、第１変形例に係る制動ユニット４０ｃ）と、一対の無制動ラック４１Ｆ，４１Ｆを備える制動ユニット４０ｅとを備える。制動ユニット４０ｅにおいては、筐体４２ｅに一対のラック収容部４２２が設けられ、各ラック収容部４２２にラック４１が収容される。また、筐体４２ｅには回動ダンパー支持部４２１が設けられず、回動ダンパー４３およびピニオン４４も搭載されない。
【００７８】
一対の制動ユニット４０ｃ，４０ｅは、配線カバー３の長辺３ａ，３ｂの一方の端部側と他方の端部側に各々配置される。また、各制動ユニット４０ｃ，４０ｅは、互いに平行な姿勢で配置される。具体的には、各制動ユニット４０ｃ，４０ｅは、長辺３ａ，３ｂの延在方向と直交するような姿勢で配置される。さらに、各制動ユニット４０ｃ，４０ｄは、その左右中心が、各長辺３ａ，３ｂと平行に延在して配線カバー３を二等分する中央線上にくるような位置に配置される。
【００７９】
この構成に係る制動部４ｅの動作は、上記の実施形態に係る制動部４の動作と同様である。すなわち、配線カバー３が第１回動動作を行うとき、第１軸線Ｓａ上に軸部４１２が配置されている各ラック４１、すなわち、第２の制動ラック４１Ｄｂおよび第２の無制動ラック４１Ｆｂの各軸部４１２が、配線カバー３の回動支点を与え、配線カバー３は第１軸線Ｓａの回りで回動する。また、このとき、第２軸線Ｓｂ上に軸部４１２が配置されていた各ラック４１、すなわち、第１の制動ラック４１Ｄａおよび第１の無制動ラック４１Ｆａが、第１軸線Ｓａを中心とする円の円弧に沿って回動する。回動ダンパー４３の制動力を受けつつ回動する第１の制動ラック４１Ｄａが配線カバー３とともに回動することによって、配線カバー３の第１回動動作が制動される。また、回動姿勢を規制されつつ回動する一対のラック４１Ｄａ，４１Ｆａが配線カバー３とともに回動することによって、第１回動動作する配線カバー３が、その回動姿勢をガイドされつつ回動する。
【００８０】
また、配線カバー３が第２回動動作を行うとき、第２軸線Ｓｂ上に軸部４１２が配置されている各ラック４１、すなわち、第１の制動ラック４１Ｄａおよび第１の無制動ラック４１Ｆａの各軸部４１２が、配線カバー３の回動支点を与え、配線カバー３は第２軸線Ｓｂの回りで回動する。また、このとき、第１軸線Ｓａ上に軸部４１２が配置されていた各ラック４１、すなわち、第２の制動ラック４１Ｄｂおよび第２の無制動ラック４１Ｆｂが、第２軸線Ｓｂを中心とする円の円弧に沿って回動する。回動ダンパー４３の制動力を受けつつ回動する第２の制動ラック４１Ｄｂが配線カバー３とともに回動することによって、配線カバー３の第２回動動作が制動される。また、回動姿勢を規制されつつ回動する一対のラック４１Ｄｂ，４１Ｆｂが配線カバー３とともに回動することによって、第２回動動作する配線カバー３が、その回動姿勢をガイドされつつ回動する。
【００８１】
＜７−３．第３変形例＞
上記の実施形態に係る制動ユニット４０が備える各ラック４１は、ラック本体部４１４が、平板弧状であって、弧状の側縁を有するものであったが、各ラックは弧状の側縁を有さない形状であってもよい。図１６には、弧状の側縁を有さない、平板長尺矩形状のラック４１ｆを備える制動ユニット４０ｆの構成が例示されている。図１６（ａ）は、制動ユニット４０ｆの側面図である、図１６（ｂ）は、制動ユニット４０ｆの側断面図である。
【００８２】
この変形例に係る制動ユニット４０ｆは、一対のラック４１ｆ，４１ｆと、その一部が収容される筐体４２ｆと、筐体４２ｆに支持される回動ダンパー４３ｆと、回動ダンパー４３ｆの軸部に連結されたピニオン４４ｆと、回動ダンパー４３ｆをラック４１ｆに向けて付勢する付勢部材４６ｆ，４７ｆと、を備える。
【００８３】
ラック４１ｆは、係止板４１１と、軸部４１２と、軸支持部４１３と、ラック本体部４１４ｆと、を備える。ラック本体部４１４ｆ以外の構成は、上記の実施形態に係るラック４１と同様である。ラック本体部４１４ｆは、平板長尺の略矩形状であり、その一端が係止板４１１の下面側に連なっている。ラック本体部４１４ｆは、軸部４１２と、係止板４１１を挟んで斜めに対向する位置に配置される。すなわち、軸部４１２は、係止板４１１の上方であって係止板４１１の一方の短辺から離れる方向に支持され、ラック本体部４１４ｆは、係止板４１１の他方の短辺の端部から、該短辺から離れる方向に延在する。また、ラック本体部４１４ｆは、その主面の法線方向が軸部４１２の軸方向と一致するような姿勢で配置される。ラック本体部４１４ｆにおける下側の長辺には、ラック歯４１４１ｆが形成されている。
【００８４】
上記の実施形態と同様、筐体４２ｆの内部には、ラック本体部４１４ｆを収容する半円型の収容空間を内部に形成するラック収容部４２２ｆが形成される。ラック本体部４１４ｆは、先端側から、筐体４２ｆに形成されたスリット４２２１ｆ内を挿通されて、ラック収容部４２２ｆに収容される。ここでも、スリット４２２１ｆは、ラック本体部４１４ｆのみが通過可能で、係止板４１１は通過できないようになっている。また、第１スリット４２２１ｆの周囲の領域４２２２ｆは、係止板４１１を係止する係止面領域を構成し、係止板４１１が係止面領域４２２２ｆに係止された状態において、ラック本体部４１４ｆの全体がラック収容部４２２ｆに収容された状態となる。また、各ラック４１ｆは、ラック本体部４１４ｆがラック収容部４２２に収容されることによって所定の姿勢に規制され、前後方向に位置ずれや傾斜を生じないようになっている。
【００８５】
ここでも、筐体４２ｆには、一対のラック４１ｆ，４１ｆに対応して、ラック収容部４２２ｆ（およびこれに付随する各要素４２２１ｆ，４２２２ｆ）が対をなして形成される。また、一対のラック収容部４２２ｆ，４２２ｆは、互いに干渉しないように、前後にずれた位置に配置される。また、一対のラック収容部４２２ｆ，４２２ｆは、左右に一部重なるような位置関係で対向して配置される。そして、各ラック４１ｆは、前後方向に位置ずれや傾斜を生じないように回動姿勢を規制されつつ、他方のラック４１ｆの軸部４１２を中心とする円Ｌの円弧に沿って回動できるようになっている。
【００８６】
回動ダンパー４３ｆは、筐体４２ｆの前面に形成された回動ダンパー支持部４２１ｆ内に収納される。上記の実施形態と同様、回動ダンパー４３ｆの軸部には、ピニオン４４ｆが連結されており、回動ダンパー４３ｆは、これと連結されたピニオン４４ｆが、前方に配置されたラック収容部４２２ｆに収容されたラック本体部４１４ｆのラック歯４１４１ｆと噛み合うように配置される。ただし、ここでは、回動ダンパー支持部４２１ｆは、軸部４２１１ｆによって筐体４２ｆに対して回動自在に軸支されており、該軸部４２１１ｆには、回動ダンパー支持部４２１ｆを所定方向に付勢する第１の付勢部材４６ｆが設けられている。さらに、回動ダンパー支持部４２１ｆの内部には、ここに収容されている回動ダンパー４３ｆのスライドを許容するためのスリット４２１２ｆと、回動ダンパー４３ｆを所定方向に付勢する第２の付勢部材４７ｆが設けられている。そして、第１の付勢部材４６ｆが、回動ダンパー支持部４２１ｆを所定方向に付勢するとともに、第２の付勢部材４７ｆが、回動ダンパー４３ｆを所定方向に付勢することにより、回動ダンパー４３ｆに連結されたピニオン４４ｆが、ラック４１ｆに弾接される方向に付勢される。これにより、ラック４１ｆが、ピニオン４４ｆと噛み合った状態のまま回動できるようになっている。各付勢部材４６ｆ，４７ｆは、例えばバネ等の弾性部材から構成することができる。
【００８７】
この変形例においても、上記の実施形態と同様、前方のラック４１ｆが回動するときに、回動ダンパー４３ｆの制動力がピニオン４４ｆを介してラック４１ｆに伝達され、ラック４１ｆの回動速度が所定値以下に制動される。この変形例によると、汎用化されている直線状のラックを用いることができるので、製造コストを抑えることができる。
【００８８】
＜７−４．第４変形例＞
上記の実施形態においては、制動ユニット４０が備える各制動ラック４１Ｄを介して、回動ダンパー４３の制動力が配線カバー３に作用するものとしたが、制動ラック４１Ｄを設けずに、回動ダンパー４３の制動力が、配線カバー３に直接作用するように構成してもよい。図１７には、このような態様に係る制動部４ｇの構成が例示されている。
【００８９】
この変形例に係る制動部４ｇは、１個の制動ユニット４０ｇを備える。制動ユニット４０ｇは、筐体４２ｇと、筐体４２ｇ内に収容された、第１、第２の回動ダンパー４３ｇ，４３ｇと、を備える。各回動ダンパー４３ｇの軸部４３１ｇは、筐体４２ｇに設けられた貫通孔を介して、筐体４２ｇの外部に突出するように設けられている。ここでは、配線カバー３の下面側から突出するように、後述する係合部材４７ｇが設けられており、制動ユニット４０ｇは、係合部材４７ｇに設けられた一対の軸受４７１ｇの各々が、各軸部４３１ｇと嵌まり合うことができるような位置に配置されて、天板１に対して固定される。
【００９０】
係合部材４７ｇは、例えば樹脂製の部材であり、上記の通り、一対の軸受４７１ｇ，４７１ｇを備えている。各軸受４７１ｇは、下方に延在しつつ、軸受４７１ｇの開口を狭める方向に屈曲した略弧状の係止片４７１１ｇを備えており、全体として下向きに開口したＣ字状をなしている。係止片４７１１ｇは、弾性変形自在に形成されており、軸部４３１ｇと軸受４７１ｇが相対的に近接する方向に移動すると、軸受４７１ｇ内に軸部４３１ｇが嵌め込まれ、軸部４３１ｇが、係止片４７１１ｇに抱え込まれるようにして係止されるようになっている。また、この状態から、軸部４３１ｇと軸受４７１ｇが相対的に離間する方向に移動すると、係止片４７１１ｇが弾性変形して両者が離脱するようになっている。
【００９１】
軸部４３１ｇの外周面と、軸受４７１ｇの内周面にはそれぞれ歯４３１１ｇ，４７１２ｇが形成されており、軸受４７１ｇに軸部４３１ｇが嵌め込まれた状態において、両方の歯４３１１ｇ，４７１２ｇが噛み合って、軸受４７１ｇと軸部４３１ｇが同期して回動するようになっている。
【００９２】
配線カバー３が閉姿勢とされた状態においては、一対の軸受４７１ｇ，４７１ｇの各々に、各軸部４３１ｇが係止された状態となる。そして、配線カバー３が第１回動動作を行うときには、第１長辺３ａに近い側に配置された軸部４３１ｇが回動支点を与え、配線カバー３は、該軸部４３１ｇを回動支点としてその軸線（第１軸線）Ｓａのまわりで回動する。このとき、第２長辺３ｂに近い側に配置された軸部４３１ｇに係止されていた軸受４７１ｇは、軸部４３１ｇから脱離して、配線カバー３とともに回動する。
【００９３】
一方、配線カバー３が第２回動動作を行うときには、第２長辺３ｂに近い側に配置された軸部４３１ｇが回動支点を与え、配線カバー３は、該軸部４３１ｇを回動支点としてその軸線（第２軸線）Ｓｂのまわりで回動する。このとき、第１長辺３ａに近い側に配置された軸部４３１ｇに係止されていた軸受４７１ｇは、軸部４３１ｇから脱離して、配線カバー３とともに回動する。
【００９４】
上記の通り、軸受４７１ｇと軸部４３１ｇとが嵌まり合った状態において、両者は同期して回動するように構成されている。したがって、配線カバー３が第１回動動作を行う際、第２回動動作を行う際のいずれにおいても、回動支点を与える側の軸受４７１ｇには、回動ダンパー４３ｇの制動力が直接に作用する。これにより、配線カバー３の回動動作が制動される。
【００９５】
この変形例によると、回動ダンパー４３ｇの制動力が配線カバー３に直接に作用することにより配線カバー３の回動動作が制動されるので、部品点数を少なく抑えつつ、配線カバー３の回動速度を低速なものとすることができる。
【００９６】
なお、上記の構成において、配線カバー３における、制動ユニット４０ｇが設けられる側の短辺とは逆の短辺の近傍にも、上記の係合部材４７ｇを設けるとともに、これと対応するもう一つの制動ユニット４０ｇを設けてもよい。この場合、該もう一つの制動ユニット４０ｇには、回動ダンパー４３ｇを設けず、軸受４７１ｇと嵌まり合うことができる軸部だけを設けてもよい。あるいは、一対の制動ユニット４０ｇ，４０ｇの各々に、回動ダンパー４３ｇを１個ずつ搭載してもよい。すなわち、上記の構成においては、一対の回動ダンパー４３ｇ，４３ｇが、配線カバー３の同じ短辺の側に設けられていたが、一対の回動ダンパー４３ｇ，４３ｇは、配線カバー３の異なる短辺の側にそれぞれ設けられてもよい。
【００９７】
＜７−５．第５変形例＞
上記の実施形態においては、本発明が、両開きの開閉構造を備える配線カバー３に適用されていたが、本発明は、天板１の使用端と対向する一端側に起立する方向のみに回動可能な片開きの開閉構造を備える配線カバーに適用することもできる。図１８には、このような態様に係る制動部４ｈの構成が例示されている。
【００９８】
この変形例に係る制動部４ｈは、１個の制動ラック４１Ｄを備え、無制動ラック４１Ｆを備えない制動ユニット４０ｄ（すなわち、図１４に示された、第１変形例に係る制動ユニット４０ｄ）と、１個の無制動ラック４１Ｆを備え、制動ラック４１Ｄを備えない制動ユニット４０ｈと、を備える。具体的には、制動ユニット４０ｈにおいては、筐体４２ｈに１個のラック収容部４２２が設けられ、各ラック収容部４２２にラック４１が収容される。また、筐体４２ｈには回動ダンパー支持部４２１が設けられず、回動ダンパー４３およびピニオン４４も搭載されない。
【００９９】
一対の制動ユニット４０ｄ，４０ｈは、配線カバー３の長辺３ａ，３ｂの一方の端部側と他方の端部側に各々配置される。また、各制動ユニット４０ｄ，４０ｈは、互いに平行な姿勢で配置される。具体的には、各制動ユニット４０ｄ，４０ｈは、長辺３ａ，３ｂの延在方向と直交するような姿勢で配置される。さらに、各制動ユニット４０ｄ，４０ｈは、その左右中心が、各長辺３ａ，３ｂと平行に延在して配線カバー３を二等分する中央線上にくるような位置に配置される。さらに、一対の制動ユニット４０ｄ，４０ｈは、各ラック４１の軸部４１２が同一の軸線上に配置されるような姿勢、すなわち、同じ向きに配置される。
【０１００】
この構成において、天板付家具ＴＢの使用者が、閉姿勢にある配線カバー３の使用端の側に配置されている長辺（ここでは、第２長辺）３ｂを持ち上げて、配線カバー３を天板１の使用端と対向する一端側、すなわち、使用端と対向する一端側に配置されている配線カバー３の長辺（ここでは、第１長辺）３ａの側に起立する方向に回動させたとする。あるいは、使用者が、第１長辺３ａの側に起立した開姿勢にある配線カバー３の第２長辺３ｂを掴んで、配線カバー３を閉じる方向に回動させたとする。これらの各場合、配線カバー３が、第１長辺３ａの側に起立する開姿勢と閉姿勢との間での回動動作を行う。
【０１０１】
配線カバー３がこのような回動動作を行うとき、第２軸線Ｓｂ上に軸部４１２が配置されていた各ラック４１、すなわち、第１の制動ラック４１Ｄａおよび第１の無制動ラック４１Ｆａが、第１軸線Ｓａを中心とする円の円弧に沿って回動する。回動ダンパー４３の制動力を受けつつ回動する第１の制動ラック４１Ｄａが配線カバー３とともに回動することによって、配線カバー３の回動動作が制動される。また、回動姿勢を規制されつつ回動する一対のラック４１Ｄａ，４１Ｆａが配線カバー３とともに回動することによって、回動動作する配線カバー３が、その回動姿勢をガイドされつつ回動する。
【０１０２】
この構成によると、配線カバー３の回動動作が制動されるので、配線カバー３がゆっくりとソフトに開閉する。これにより、配線カバー３を開閉する際の使用感を良好なものとすることができる。
【０１０３】
＜７−６．他の変形例＞
上記の実施形態では、配線カバー３の第１回動動作のうち、開姿勢から閉姿勢に向かう閉鎖回動動作と、閉姿勢から開姿勢に向かう開放回動動作の両方が制動されるものとしたが、少なくとも閉鎖回動動作が制動されればよく、開放回動動作については、制動がなされなくともよい。同様に、配線カバー３の第２回動動作についても、開姿勢から閉姿勢に向かう閉鎖回動動作が少なくとも制動されればよく、閉姿勢から開姿勢に向かう開放回動動作は制動がなされなくともよい。具体的には例えば、ラック歯４１４１とピニオン４４との間にラチェット構造を設け、配線カバー３が閉鎖回動動作を行う際には、制動ラック４１Ｄにピニオン４４を介して回動ダンパー４３の制動力が作用し、配線カバー３が開放回動動作を行う際には、制動ラック４１Ｄに回動ダンパー４３の制動力が作用しないようにしてもよい。上記の各変形例においても同様である。
【０１０４】
上記の実施形態では、各ラック４１のラック本体部４１４は、弧状の側縁を有しており、該側縁にラック歯４１４１が形成されていたが、無制動ラック４１Ｆである各ラック４１については、ラック歯４１４１が形成されなくともよい。上記の各変形例においても同様である。
【０１０５】
上記の実施形態あるいは上記の変形例において、筐体に搭載されるラック４１の個数は１個あるいは２個であったが、３個以上のラック４１が同一の筐体に搭載されてもよい。
【０１０６】
また、各部の具体的な形状、仕様、その他の詳細な構成等は、本発明の趣旨を逸脱しない範囲で種々の変形が可能である。また、実施形態および各変形例に係る構成を適宜に組み合わせてもよいことはいうまでもない。
【符号の説明】
【０１０７】
ＴＢ    天板付家具
１      天板
１１  配線開口
２      脚体
３      配線カバー
３ａ  第１長辺
３ｂ  第２長辺
３１  上板
３２  下板
３２１      開口部
３３  側板
４      制動部
４０  制動ユニット
４１        ラック
４１１    係止板
４１２    軸部
４１３    軸支持部
４１４    ラック本体部
４１４１        ラック歯
４１Ｄａ  第１の制動ラック
４１Ｄｂ  第２の制動ラック
４１Ｆａ  第１の無制動ラック
４１Ｆｂ  第２の無制動ラック
４２        筐体
４２１    回動ダンパー支持部
４２２    ラック収容部
４２２１        第１スリット
４２２２        係止面領域
４３        回動ダンパー
４４        ピニオン
４５        固定部材
４６ｆ      付勢部材
４７ｇ      係合部材
【図１】
2020062330.tif 000003
【図２】
2020062330.tif 000004
【図３】
2020062330.tif 000005
【図４】
2020062330.tif 000006
【図５】
2020062330.tif 000007
【図６】
2020062330.tif 000008
【図７】
2020062330.tif 000009
【図８】
2020062330.tif 000010
【図９】
2020062330.tif 000011
【図１０】
2020062330.tif 000012
【図１１】
2020062330.tif 000013
【図１２】
2020062330.tif 000014
【図１３】
2020062330.tif 000015
【図１４】
2020062330.tif 000016
【図１５】
2020062330.tif 000017
【図１６】
2020062330.tif 000018
【図１７】
2020062330.tif 000019
【図１８】
2020062330.tif 000020